(57)【要約】      （修正有）【課題】杉材の持つ、除菌、脱臭、防カビ、防虫、調湿効果、空気浄化効果、人に対するリラックス効果、鎮静効果を活用した衣類ダンスやベッド枠等の木工製品を製作するための赤身木口面露出板を提供する。【解決手段】樹齢５０年以上の日本杉赤身部分から製材した幅８０ｍｍ、厚さ４０ｍｍ角材を１０ｍｍ厚さで切断し、木口面状板を作る。これらを日影で２ヶ月間自然乾燥する。木口面状板の両側を削って接合部を作り、接着剤で複数個を平面状に接合し、さらに杉枠板で固定し、幅１００ｍｍｍ、長さ９００ｍｍ、厚さ１０ｍｍの木口面露出板を作る。板の両面をヤスリ鉋で滑らかにする。木口面露出板の接合においては、杢目美を出すよう板を配置し、装飾板としても使用できるものにする。【選択図】図１
0003177997.tif 000002
【実用新案登録請求の範囲】
【請求項１】
日本杉（Ｃｒｙｏｔｏｎｅｒｉａ  ｊａｐｏｎｉｃａ）赤身部角柱を１０−２０ｍｍ厚さで切断して木口面状板を作り、自然乾燥し、複数個の木口面状板を平面状に接合し、赤身木口面が露出することを特徴とする木口面露出板及び木口面露出板で作る木工製品。
【考案の詳細な説明】
【技術分野】
【０００１】  この考案は樹齢５０年以上の日本杉赤身角材を１０−２０ｍｍ厚さで切断して木口面状板を作り、自然乾燥し、複数個の木口面状板を平面状に接合した木口面露出板及び木口面露出板で作る木工品製作に関する。
【背景技術】
【０００２】  日本杉赤身木口面露出板は、図１に示すように、自然乾燥した木口面状板を平面状に接合したものである。木口面露出板で作る木工品は、図２に示すように、壁板、下駄箱、衣類ダンス、ついたて、ベッド枠、米櫃、装飾板などである。
【先行技術文献】
【実用新案登録文献】
【０００３】      実用新案登録３１７３９３３号  日本杉赤身木口面片入り安眠枕、携帯用安眠枕及び香り袋
【非実用新案登録文献】
【０００４】
【非実用新案文献１】
Ｔｕｓｉｎｏ，Ｙ．，Ｗａｒａｓｈｉｎａ，Ｍ．，Ｍｏｒｉｏｋａ，Ｊ．，Ｔａｋｅｎａｋａ，Ｎ．，Ｂａｎｄｏｗ，Ｈ．，Ｍａｅｄａ，Ｙ．：Ｇｌｏｂａｌ  Ｅｎｖｉｒｏｎｍｅｎｔａｌ  Ｒｅｓｅａｒｃｈ  ４，８９−９４（２０００）。
【非実用新案文献２】
Ｔｕｓｉｎｏ，Ｙ．，Ｏｈｉｒａ，Ｋ．，Ｍａｅｄａ，Ｙ．，Ｍａｔｓｕｍｏｔｏ，Ｍ．，Ｙｏｏ，Ｙ．Ｅ．ｅｔ  ａｌ．：１２ｔｈ  Ｗｏｒｌｄ  Ｃｌｅａｎ  Ａｉｒ  ＆  Ｅｎｖｉｒｏｎｍｅｎｔａｌ  Ｃｏｎｇｒｅｓｓ  ａｎｄ  Ｅｘｈｉｂｉｔｉｏｍ，２６−３１，Ａｕｇｕｓｔ  ２００１，Ｓｅｏｕｌ，Ｋｏｒｅａ（２００１）。
【考案の概要】
【考案が解決しようとする課題】
【０００５】  日本杉には  ▲１▼抗ウィルス、抗菌、防虫、防カビ、調湿効果  ▲２▼窒素酸化物、二酸化硫黄、オゾン、アンモニア、アルデヒド、低級カルボン酸などを吸収・分解する空気浄化作用  ▲３▼人に対してリラックスや安眠を与える沐浴効果、鎮静効果、自律神経調整効果などがあることが、科学的及び経験的に知られている。
これらの効果は、日本杉が自己防衛のために持つリグニン及びポリフェノールなどを含む樹液に起因し、有効成分フィトントチッドを含む樹液は樹齢の高いほど、また赤身部分に多く含まれる。これらの効果は、樹齢５０年以上の杉おいては木口面道管を通して、数十年間も発揮されることが科学的にわかっている。正倉院の御物は杉櫃中で１２００年以上保存されており、杉の効力が現在でも続いている。
有効成分は木口面道管を通して発散するため、杉板にスリットを入れて露出木口面積を増加した壁板が製作されている。しかし、深いスリットを短間隔で施すには限界があり、板の強度は損われる。また、壁板以外の用途は限られる。
杉分泌物の効果を健康及び保存目的に最大限に利用するため、樹齢５０年以上の杉赤身角材を１０−２０ｍｍ厚さで切断して木口面状板を作り、自然乾燥し、複数個の木口面状板を平面状に接合した木口面露出板を製作及び木口面露出板で木工品を製作することを課題とする。
【課題を解決するための手段】
【０００６】  日本杉赤身角材を切断して作った木口面状板を平面状に接合した木口面露出板
▲１▼樹齢５０年以上の日本杉赤身部分から製材した幅８０ｍｍ、厚さ４０−８０ｍｍ角材を１０−２０ｍｍ厚さで切断し、表裏が木口面状の板を作る。
▲２▼これらを日影で２ヶ月間自然乾燥する。
▲３▼木口面状板の両側を削って接合部を作り、複数個を平面状に接合し、さらに杉枠板で固定し、木口面が露出した板を作る（図１）。板の両面をヤスリ鉋で滑らかにする（図１）。
木口面状板の接合においては、杢目美を出すよう板を配置し、装飾板としても使用できるものにする。
以上の行程で、露出木口面積が大きく、杉の有効成分が大量に発散する木口面露出板を作る。【０００７】  杉赤身木口面露出板で作る木工製品
▲１▼［０００６］▲１▼〜▲３▼に示す方法で作製した木口面露出板を使用する
▲２▼木口面露出板を部屋の壁板として使用する（図２）。木口面積は、杉スリット板の１６倍以上であり、ドア一枚分の面積で畳八畳杉板張り室に相当する。
▲３▼内部の脱臭、芳香、防カビ、防虫、調湿効果を期待し、下駄箱及び衣類ダンスの内張及び引き戸に使用する（図２）。
▲４▼木口面の杢目の美しさを強調、杉芳香、人に対するリラックス効果を期待し、ついたて製作に使用する（図２）。
▲５▼除菌、防虫（米虫）効果を期待し、米櫃の内張に使用する（図２）。
▲６▼除菌、防虫（家ダニ、ムカデなど）、人に対するリラックス期待し、ベッドの底板及び横板に使用する（図２）。
▲７▼時計など杢目美を特徴とする装飾品を作る
以上の行程で、除菌、調湿、脱臭、芳香、空気浄化効果及び人に対しリラックス効果をもたらす木工製品を作る。
【考案の効果】
【０００８】  杉赤身木口面露出板は、杉赤身部分からなり、露出木口面が大きい。杉の有効成分は露出木口面道管を通じて発散することから、木口面露出板には、通常の杉板やスリット入り杉板に比べ、フィトントチッドやポリフェノール類の有効成分の発散ははるかに大きい。杉内張八畳室内と１８０ｍｍＸ９０ｍｍドア一枚と同等の効果があり、壁板に応用すれば、小面積の使用でも大きな効果が期待される。また、室内に設置しても、杉の健康効果が期待できる。木口面の杢目（年輪）を組み合わせると、装飾性のある模様が得られる。【０００９】  赤身木口面露出板で作る木工製品は、杉材の持つ、除菌、脱臭、防カビ、防虫、調湿効果、空気浄化効果、人に対するリラックス効果、鎮静効果を活用するためのものである。室内の壁板、下駄箱、衣類ダンス、ついたて、米櫃、ベッド枠などの製品の一部に材料として使用する。閉鎖空間に於いては、杉のもつ効果が得られる。例えば、壁板、ついたてなど木口面露出板近くでは、リラックス効果及び安眠が得られ、下駄箱及び衣類ダンス内では、脱臭、芳香、防虫、調湿効果が現れる。米櫃においては、米虫の発生が抑えられる。杢目模様が美しいので、装飾品としても勝れている。他に、美術品や書籍の保管箱にも応用できそうである。
【図面の簡単な説明】
【００１０】
【図１】杉赤身木口面露出板の設計図及び杉赤身木口面露出板の試作例（縦１００ｍｍ、長さ９００ｍｍ、厚さ１０ｍｍ）の平・断面図と写真図である。
【図２】杉赤身木口面露出板で作る木工品の試作例の写真図である。
【考案を実施するための形態】
この考案の実施形態を図１及び図２に示す。
【００１１】  杉赤身木口面露出板（図１）
▲１▼樹齢５０年以上の日本杉赤身部分から製材した幅８０ｍｍ、厚さ４０ｍｍ角材を１０ｍｍ厚さで切断し、木口面状板を作る。
▲２▼これらを日影で２ヶ月間自然乾燥する。
▲３▼木口面状板の両側を削って接合部を作り、接着剤で複数個を平面状に接合し、さらに杉枠板で固定し、幅１００ｍｍｍ、長さ９００ｍｍ、厚さ１０ｍｍの木口面露出板を作る。
▲４▼板の両面をヤスリ鉋で滑らかにする。
木口面露出板の接合においては、杢目美を出すよう板を配置し、装飾板としても使用できるものにする。
【００１２】  杉赤身木口面露出板で作る木工製品（図２）
▲１▼［００１１］▲１▼〜▲４▼に示す方法で製作した木口面露出板を使用し、家具製造技術により、加工する（図２  写真）。
▲２▼室内用の壁板、下駄箱の引き戸、衣類ダンスの引き戸、ついたて、米櫃の底板、ベッド底板・枠部品などを製作した。また杢目美を生かす装飾品を製作した。
【実施例】
【００１３】  ▲１▼［００１１］に示す方法で、幅１００ｍｍ、長さ９００ｍｍ、厚さ１０ｍｍの木口面露出板を製作した。
▲２▼杉材の持つ、除菌、脱臭、防カビ、防虫、調湿効果、空気浄化効果、人に対するリラックス効果、鎮静効果を活用するために、［００１３］▲１▼に示す木口面露出板を材料として以下の木工製品を試作し、効果を確かめた。
寝室やリビング室内に壁板及びついたてを置き、モニターに生活してもらい、リラックス効果を調べた。特に、板の近くでは、杉の芳香があり、リラックス効果が得られるようである。また、ベッド枠に取り付けたところ、安眠が得られるという意見が得られた。ダニ予防効果もあるようである。
下駄箱の引き戸及び衣類タンスの引き戸に取り付けた。内部において脱臭、芳香、防虫、調湿効果があることがわかった。
米櫃底板に敷いた。米虫の発生が抑えられている。
装飾品として、生活空間においた。時計や他の装飾品とのコーラボレーションが可能である。
【産業上の利用可能性】
【００１４】  強いストレスを受けている人及び病弱な人の多くはリラックスした生活や健康な睡眠を望んでおり、人に対するリラックス効果、ダニ予防やハウスシック症候群の原因物質の除去効果など、木口面露出板の活用は効果的だと考えられる。天然製品なので、化学物質の発散はない。
木口面露出板を加工する木工品は、杉の効用を利用し、清潔かつ健康な生活に貢献することを目的として製作するものである。
製品は、生活空間において幅広く活用できるもので、材料の調達及び製作においても技術的問題は少なく、量産の可能性が大きい。
【符号の説明】
【００１５】  図１の符号：▲１▼杉赤身部分角材  ▲２▼木口面状板  ▲３▼木口面状板接合部  ▲４▼木口面露出板表側  ▲５▼固定用杉枠（白味部分）  ▲６▼木口面露出板写真（左：表側、右：裏側）  ▲７▼木口面露出板写真（上：表側、下：裏側）
図２の符号：▲１▼室内壁板  ▲２▼下駄箱（引き戸部）  ▲３▼衣類ダンス（引き戸部）  ▲４▼ついたて（２組）  ▲５▼米櫃（内底部）  ▲６▼ベッド枠部品  ▲７▼年輪装飾時計  ▲８▼木口面露出板の美的年輪模様
【図１】
0003177997.tif 000003
【図２】
0003177997.tif 000004
【手続補正書】
【提出日】平成24年6月6日(2012.6.6)
【手続補正１】
【補正対象書類名】実用新案登録請求の範囲
【補正対象項目名】全文
【補正方法】変更
【補正の内容】
【実用新案登録請求の範囲】
【請求項１】
日本杉（Ｃｒｙｐｔｏｍｅｒｉａ  ｊａｐｏｎｉｃａ）赤身部角柱を１０−２０ｍｍ厚さで切断して木口面状板を作り、自然乾燥し、複数個の木口面状板を平面状に接合し、赤身木口面が露出することを特徴とする木口面露出板。